(57)【要約】  【課題】透光性に優れ、組立が容易な回転図柄表示体構造を提供する。  【解決手段】駆動モータに連結され外周間の円周方向に滑止め係合部７を備える駆動円形リング体４と、該駆動円形リング体４に対して所定軸心間位置に配置された従動円形リング体８とを備える。ベルトは、無端ベルト状態に形成されて前記駆動円形リング体４に係合する被係合部９ｂを備える図柄ベルト９と、前記図柄ベルトに一部が固定された図柄表示部材１００とから構成される。図柄ベルト９及び図柄表示部材１００は、透光性を有している。図柄表示部材１００は、前記図柄ベルト９と略同じ幅を有し、幅方向両耳部分は非透光性に処理／加工されている。前記回転図柄表示体３の側部には、図示していない浮きあがり防止部材が設けられていて、前記ベルトの浮きあがりを押さえる。  【選択図】図２
2005168840.tif 000002
【特許請求の範囲】
【請求項１】
駆動モータに連結され外周間の円周方向に滑止め係合部を備える駆動円形リング体と、該駆動円形リング体に対して所定軸心位置に配置された従動円形リング体とを備え、前記駆動モータの駆動に基いて回転／停止制御される回転図柄表示体を備える回転式図柄可変表示装置の回転図柄表示体構造において、
無端ベルト状態に形成されて前記駆動円形リング体に形成された滑止め係合部に係合する被係合部を備える透光性を有する図柄ベルトと、透光性を有し幅方向両耳部分が非透光性に形成され前記図柄ベルトと略同じ幅を有し前記図柄ベルトに固定された図柄表示部材とから構成されるベルトとが設けられていることを特徴とする回転図柄表示体構造。
【請求項２】
前記図柄ベルトの前記被係合部が形成されている反対側の面と前記図柄表示部材の複数種類・複数コマ分の図柄が所要の間隔、順序に形成配置されている反対側の面とは、一部が固定されていることを特徴とする請求項１に記載の回転図柄表示体構造。
【請求項３】
前記回転図柄表示体の内部に照明手段を備えると共に、前記図柄表示部材における複数種類・複数コマ分の図柄が所要の間隔、順序に形成配置されている部分が、透光性を有する素材で形成されていることを特徴とする請求項１又は２に記載の回転図柄表示体構造。
【請求項４】
前記図柄ベルトは、前記図柄表示部材と略同じ幅を有する帯状部材の幅方向両耳部に、前記帯状部材と同一素材からなる前記被係合部を有する帯状の係合部材を一体形成したことを特徴とする請求項１乃至３に記載の回転図柄表示体構造。
【請求項５】
前記図柄ベルトは、ウレタンゴム系の素材であることを特徴とする請求項１乃至４に記載の回転図柄表示体構造。
【請求項６】
前記回転図柄表示体の側部に設けられ、前記ベルトの浮きあがりを押さえる浮きあがり防止部材を有することを特徴とする請求項１乃至５に記載の回転図柄表示体構造。
【発明の詳細な説明】
【技術分野】
【０００１】
本発明は、回転図柄表示体構造に関し、更に詳しくは、パチンコ球やコイン等を利用して、変動制御条件に基いて図柄変動組合わせゲームを展開して、予め設定された図柄同志の組合わせ条件の成立時に遊技者の有利とされる特別遊技状態や、入賞成立状態を呈することのできる回転形式の図柄可変表示装置における回転図柄表示体構造に関するものである。
【背景技術】
【０００２】
図柄組合わせ式遊技機の代表例として従来から知られている第１種（フィーバタイプ）のパチンコ機やスロットマシンにおいては、図柄変動組合わせゲームを展開して特別遊技状態や入賞成立状態に係る図柄を組合わせ成立表示することのできる図柄手段として、一般に回転表示形態の図柄可変表示装置が採用されている。この装置ではその基本的な形態としては、モータ（ステッピングモータまたはパルスモータ）および駆動制御回路等を含む回転駆動制御手段と、ベルト形態またはドラム形態の回転図柄表示体と、各図柄の停止表示用位置決め基準とされる位置決め検出手段を含めて、１基毎の図柄表示ユニットに構成される。そしてこの図柄表示ユニットが、例えば１つの箱枠体内に複数基（通常では左列、中列、右列の３基）を組単位にして、縦列セットされて１つのユニット化表示装置とされている。
【０００３】
前記図柄可変表示装置は、毎回の図柄組合わせゲームに係る基本的な図柄変動制御態様として、前記パチンコ機では、遊技領域内に打出された遊技球の入賞検出時に基く始動条件と、電気的制御回路装置側から適時自動的に発信される停止信号または遊技者のストップ操作時に基いて発信される停止信号の何れかに基く停止条件において、各図柄表示ユニット毎におけるモータと共に回転図柄表示体が、設定条件に基いて順次変動開始されて適時停止される。また前記スロットマシンでは、コイン投入後の遊技者のスタート操作時に基く始動条件と、電気的制御回路装置側から適時自動的に発信される停止信号または遊技者のストップ操作時に発信される停止信号の何れかに基く停止条件において、各図柄表示ユニット毎におけるモータと共に回転図柄表示体（図柄ドラムまたは図柄ベルト）が、設定条件に基いて順次回転開始されて適時停止される。そして図柄組合わせライン（入賞ライン）上に停止表示された各列の図柄同志の出揃い結果において、個々の位置決め検出手段による図柄検出判別情報に基いて予め設定された組合わせ図柄（当り図柄）との対比検出判定に従って、「当りまたは外れ」が判定制御される。そうして当り図柄の組合わせ成立時に、前述した特別遊技状態または入賞成立状態に係る権利が発生されるように構成されている。
【０００４】
前記回転図柄表示体については、リング体の外周裏面に図柄を直接印刷した図柄ドラムやシート状の図柄表示帯を周回装着した図柄ドラムなどのタイプがある。またこれらの回転図柄表示体における図柄については、一般に色彩区分された視認識別容易な数字、アルファベット文字、その他の絵や図形等を含む複数種類のマークが識別用情報として採用され、これらが当り用、外れ用に適宜区分設定されたもとで、所要とする複数コマ分において適宜順序で配置されている。
【０００５】
特許文献１に開示されるような「図柄可変表示装置」に係る発明が出願されている。該特許文献１に開示されるような図柄可変表示装置は、前述したような、可撓性を有する合成樹脂よりなる図柄ベルトを用いたものであって、該図柄ベルトが回転図柄表示体から外れないように、前記図柄ベルトの幅方向耳部に設けられた凹凸嵌合される被係合部が形成されている。
【０００６】
前記特許文献１に開示されるような図柄可変表示装置は、図６に示すような構成である。図６において、図柄可変表示装置３０１は、前後開放状の箱形に形成された装置本体３０２の内部にベルト式図柄表示機構３０３を備えると共に、該ベルト式図柄表示機構３０３は駆動プーリ３０４を備える。前記駆動プーリ３０４は、その中心部より外側に放射状に突出した複数本のアーム３０５の先端に帯環状のリム３０６を中心部と同心円状に連結し、中心部とアーム３０５及びリム３０６で囲まれた部分が中抜きされた軽量化形態である。リム３０６の外周面には複数の突起のような係合部３０７が円周方向に列状に形成される。駆動プーリ３０４は装置本体３０２の内部に自由回転可能に支持された従動プーリ３０８よりも大径である。駆動プーリ３０４の前側部は従動プーリ３０８の前側部より前側に突出する。
【０００７】
そして、駆動プーリ３０４及び従動プーリ３０８には可撓性を有する合成樹脂よりなる無端状の図柄ベルト３０９が巻きかけられる。駆動プーリ３０４の中心部にはステッピングモータのようなモータ３１０のモータ軸３１１が一体的に回転し得るように固定される。モータ３１０のケーシングは駆動プーリ３０４の内部に非接触に配置されると共に装置本体３０２に支持基板３１２で回転しないように取付けられる。そして、モータ軸３１１が電気的に駆動することにより、駆動プーリ３０４が一方向に回転し、駆動プーリ３０４の回転力が駆動プーリ３０４の係合部３０７から図柄ベルト３０９に伝達され、図柄ベルト３０９が駆動プーリ３０４と同方向に回転し、図柄ベルト３０９に描かれた異なる複数の図柄が上方より下方に可変表示される。
【０００８】
【特許文献１】特開２００１−２９３１２８号公報
【発明の開示】
【発明が解決しようとする課題】
【０００９】
特許文献１に開示されるような「図柄可変表示装置」に係る発明は、図６に示したように、可撓性を有する合成樹脂よりなる無端状の図柄ベルト３０９を用いたものであって、該図柄ベルト３０９が回転図柄表示体から外れないように、前記図柄ベルト３０９の幅方向耳部に設けられた凹凸嵌合される被係合部が形成されている。係合部３０７は駆動プーリ３０４の幅方向耳部に配置され、係合部３０７に凹凸嵌合される被係合部は図柄ベルト３０９の幅方向耳部に設けられた孔により形成される構成となっている。
【００１０】
このために、以下のような問題点がある。即ち、係合部３０７は駆動プーリ３０４の幅方向耳部に配置され、係合部３０７に凹凸嵌合される被係合部は図柄ベルト３０９の幅方向耳部に設けられた孔により形成されている。そのため、長期の使用により、前記図柄ベルト３０９の幅方向耳部に設けられた被係合部が破れて破損する場合があり、製品の信頼性を低下する。
【００１１】
また、図柄ベルト３０９の幅方向耳部に設けられた被係合部には、視認識別容易な数字、アルファベット文字、その他の絵や図形等を含む複数種類の図柄を描いても、係合部３０７に凹凸嵌合される被係合部には前記図柄がない。従って、実質的には、前記図柄を描ける部分は、被係合部の内側に限られ、図柄が小さくなり、遊技者が図柄を見づらくなるという不具合が生じる。
【００１２】
更に、回転図柄表示体は、遊技者が図柄を見やすいように、その内部（図柄ベルトの裏側）から照明するように構成されているが、かかる場合には図柄ベルト３０９の幅方向耳部に設けられた被係合部から前記光が漏れたりして遊技者の邪魔になるという不具合が生じる。また、該漏洩される光を遮光すると、被係合部が暗くなり遊技者が図柄を見づらくなるという不具合が生じる。本発明は、上記の課題に鑑みてなされたもので、透光性に優れ、組立が容易な回転図柄表示体構造を提供することを目的とする。
【課題を解決するための手段】
【００１３】
本発明は、前記回転図柄表示体構造を提供するために、請求項１に記載の回転図柄表示体構造では、駆動モータに連結され外周間の円周方向に滑止め係合部を備える駆動円形リング体と、該駆動円形リング体に対して所定軸心位置に配置された従動円形リング体とを備え、前記駆動モータの駆動に基いて回転／停止制御される回転図柄表示体を備える回転式図柄可変表示装置の回転図柄表示体構造において、無端ベルト状態に形成されて前記駆動円形リング体に形成された滑止め係合部に係合する被係合部を備える透光性を有する図柄ベルトと、透光性を有し幅方向両耳部分が非透光性に形成され前記図柄ベルトと略同じ幅を有する前記図柄ベルトに固定された図柄表示部材とから構成されるベルトとが設けられていることを特徴とする。
【００１４】
請求項２に記載の回転図柄表示体構造では、前記図柄ベルトの前記被係合部が形成されている反対側の面と図柄表示部材の複数種類・複数コマ分の図柄が所要の間隔、順序に形成配置されている反対側の面とは、一部が固定されていることを特徴とする。
【００１５】
請求項３に記載の回転図柄表示体構造では、前記回転図柄表示体の内部に照明手段を備えると共に、前記図柄表示部材における複数種類・複数コマ分の図柄が所要の間隔、順序に形成配置されている部分が、透光性を有する素材で形成されていることを特徴とする。
【００１６】
請求項４に記載の回転図柄表示体構造では、前記図柄ベルトは、前記図柄表示部材と略同じ幅を有する帯状部材の幅方向両耳部に、前記帯状部材と同一素材からなる前記被係合部を有する帯状の係合部材を一体形成したことを特徴とする。
【００１７】
請求項５に記載の回転図柄表示体構造では、前記図柄ベルトは、ウレタンゴム系の素材であることを特徴とする。
請求項６に記載の回転図柄表示体構造では、前記回転図柄表示体の側部に設けられ、前記ベルトの浮きあがりを押さえる浮きあがり防止部材を有することを特徴とする。
【発明の効果】
【００１８】
本発明の回転図柄表示体構造は、ベルトを図柄ベルトと図柄表示部材との２層構造として、前記図柄ベルトと図柄表示部材とが一部で固定されていることにより、図柄表示部材の公差を弛めることができるとともに回転図柄表示体の明るさの均一化が図れる。また、透光性を有する図柄ベルトの幅方向両耳部分（被係合部が形成されている部分）にあたる図柄表示部材を非透光性に形成することにより、図柄ベルトに形成された滑止め係合部の陰が図柄表示部材に映らず、該回転図柄表示体の明るさが均一になる。前記図柄ベルトと図柄表示部材とを別体として、図柄ベルトに被係合部を形成し、駆動円形リング体に備えられた滑止め係合部が図柄表示部材に突出しない。このため、図柄表示部材の表面から照明する手段を備えることにより、図柄を描ける部分が図柄表示部材の全面となり、図柄を大きくすることができ、遊技者が図柄を見やすくなる。また、被係合部から光が回転図柄表示体内部の光が漏れず、遊技者の邪魔になることもない。更に、前記回転図柄表示体側部に設けられ、前記ベルトの浮きあがりを押さえる浮きあがり防止部材とが設けられていることにより、図柄ベルトと図柄表示部材とを一部で固定した２層構造にしても、回転図柄表示体を回転した時に、図柄表示部材が浮きあがる不具合がなく、図柄表示部材が振動、あるいは近くにある構成部品に触れて破損するなどの事故がなくなると共に、遊技者が図柄を見やすくなる。
【発明を実施するための最良の形態】
【００１９】
以下、本発明の実施形態について図面により説明する。図１に示す回転式図柄可変表示装置１が用いられるスロットマシンとは、パチンコ機の外枠の厚さに形成された前記回転式図柄可変表示装置１を用い、遊技球を使用して遊技を行う、スロットマシンの遊技形態を有する機器である。説明を簡略化するために、以下、後述する図柄表示部材１００と図柄ベルト９とを一体化したものをベルトと称する。
【００２０】
図１に示すように、同一形態に形成された複数の回転式図柄可変表示装置１が並列配置されている。複数の回転式図柄可変表示装置１それぞれの間には、後述する、浮きあがり防止部材１０１が備えられ、回転式図柄可変表示装置１を回転した時に、ベルトが浮きあがるのを防止する。なお、図１において、前記浮きあがり防止部材１０１は、中央の回転式図柄可変表示装置１の両端に設けた浮きあがり防止部材１０１のみを図示し、他は図示省略してある（全体図は、図４、図５参照。）。前記ベルトの一部を構成している図柄表示部材１００には、複数種類・複数コマ分の図柄９ａが所要の間隔、順序に形成配置されている。
【００２１】
図２に示すように、前面開放状の箱形に形成された装置本体２の内部にステッピングモータのような駆動モータの駆動に基いて回転／停止制御される回転図柄表示体３を備えると共に、該回転図柄表示体３は、駆動プーリ４（駆動円形リング体）と従動プーリ８（従動円形リング体）とを備える。前記回転図柄表示体３は、図示していない照明手段を内部に備えると共に、前記駆動プーリ４と従動プーリ８との間は所定軸心間離れた位置に配置されている。前記駆動プーリ４は、幅方向耳部に配置された係合部７を備え、装置本体２の内部に自由回転可能に支持された前記従動プーリ８と略同一の径を有していてもよく、あるいは異なっていてもよい。駆動プーリ４の前側部と従動プーリ８の前側部とは、装置本体２の前面に対して縦方向に配置されている。
【００２２】
前記駆動プーリ４及び従動プーリ８には、前記ベルトが無端状に巻きかけられている。該無端状のベルトは、図柄表示部材１００に描かれている複数種類・複数コマ分の図柄９ａ（図１参照。）が遊技者により視認可能なように巻きかけられている。図柄表示部材１００は、可撓性を有するウレタンゴム系の素材よりなる透光性を有する図柄ベルト９の上面に当該図柄表示部材１００の両端１００ａが一致するように無端状に巻きつけられてから、接着材などを用いて、図柄ベルト９に貼りつけられている。係合部７に係合される被係合部９ｂは、図柄ベルト９の幅方向耳部裏側に設けられた凹部により形成される。即ち、図柄表示部材１００と図柄ベルト９とは一体化されてベルトを構成し、図柄ベルト９の被係合部９ｂが前記駆動プーリ４に形成されている係合部７と係合して駆動プーリ４及び従動プーリ８に滑止め係合されている。
【００２３】
駆動プーリ４の中心部にはモータのモータ軸１１が一体的に回転し得るように固定され、モータ軸１１が電気的に駆動されることにより、駆動プーリ４が一方向に回転し、駆動プーリ４の回転力が駆動プーリ４の係合部７からベルトに伝達される。ベルトが駆動プーリ４と同方向に回転し、図柄表示部材１００に描かれた異なる複数の図柄９ａが上方より下方にパネル２０を介して可変表示される。なお、図２においては、図１に示した浮きあがり防止部材１０１は、図示省略してある。
【００２４】
また、前記駆動プーリ４と従動プーリ８との間には、ベルトが所定の弧状となるように支持する、弧状の図柄ベルト支持体４０が設けられている。該図柄ベルト支持体４０は、パネル２０側に凸状であって、ベルトを裏側から支持し、遊技者がパネル２０の外から当該回転式図柄可変表示装置１を見た時に、１つの大型のドラムに設けられたベルトが回転しているように見せるための支持体４０である。パネル２０側に凸の曲率は、前記大型のドラムの曲率となるように形成されている。
【００２５】
図柄ベルト９は、可撓性を有するウレタンゴム系の素材よりなり、多少の公差があっても、駆動プーリ４及び従動プーリ８に巻きかけることができる。しかし、図柄表示部材１００は、上面に複数種類・複数コマ分の図柄９ａを所要の間隔、順序に形成配置してあり、可撓性を有しない素材で形成されている場合がある。かかる場合、前記駆動プーリ４と従動プーリ８に無端状に巻きつけた図柄ベルト９の全面に亘り接着剤を塗布し図柄表示部材１００を接着すると、以下のような不具合が生ずる。
【００２６】
即ち、駆動プーリ４及び従動プーリ８に巻きかけられた図柄ベルト９に密着して図柄表示部材１００を貼り付ける場合、図柄表示部材１００の長さが図柄ベルト９の長さより短いと、図柄ベルト９に密着して図柄表示部材１００を卷きかけた時、図柄表示部材１００の両端１００ａが離れて、隙間が空いてしまう。かかる場合、遊技者がパネル２０の外から当該回転式図柄可変表示装置１を見た時に前記隙間が見え、装置の見栄えを低下させる。このような欠点を補うためには、図柄表示部材１００を長く形成して図柄表示部材１００の両端１００ａを重なるようにしてもよい。しかし、回転図柄表示体３の内部には図示していない照明手段を備え、図柄ベルト９の裏側から照明している。従って、透図柄表示部材１００の両端１００ａが重なる箇所の透光性が低下する。また、図柄ベルト９と図柄表示部材１００とは、素材が異なる場合、その膨張率も異なり、図柄ベルト９の全面に接着剤を塗布し図柄表示部材１００を接着した場合には、膨張率の差により、両者が剥離し図柄表示部材１００が破損する場合がある。更に、図柄ベルト９の全面に接着剤を均一に塗布して図柄表示部材１００を透光性よく均一に接着する作業には時間がかかるなどの課題がある。
【００２７】
以下、図３により前記の課題を解決する図柄表示部材１００と図柄ベルト９とを一体化したベルトの構造を説明する。図３（ａ）に示すように、前記図柄ベルト９は、前記駆動プーリ４に形成されている凸状の係合部７と係合して駆動プーリ４及び従動プーリ８に滑止め係合される被係合部９ｂが凹状に形成されている。図柄表示部材１００は透光性を有する素材で形成されており、図３（ｂ）に示すように図柄ベルト９に形成されている被係合部９ｂを含む幅方向両耳部のＷ１の部分が非透光性に加工／処理されている。また、幅方向両耳部のＷ１を除く中央部Ｗには、複数種類・複数コマ分の図柄９ａが所要の間隔、順序に形成配置されている。
【００２８】
図柄ベルト９は、透光性と可撓性を有するウレタンゴム系の素材で形成されており、図柄表示部材１００と略同じ幅（２Ｗ１＋Ｗ）を有している。前記図柄表示部材１００の幅方向両耳部のＷ１の部分と重なる、図柄ベルト９の幅方向両耳部Ｗ１の部分の、前記係合部７に面する側に、被係合部９ｂが形成された同一素材からなる帯状の係合部材を一体形成して図柄ベルト９を形成してもよい。図柄ベルト９と図柄表示部材１００は、接着材などを用いて部分的に接着されている。例えば、図柄表示部材１００の両端１００ａ（図２参照。）が一致するように前記駆動プーリ４と従動プーリ８に無端状に巻きつけた図柄ベルト９の表面に、少なくとも図柄表示部材１００裏面の両端１００ａ近傍を接着材などを用いて接着する。その他、必要に応じて無端状に巻きつけられている図柄ベルト９の表面と図柄表示部材１００裏面との複数箇所を接着材などを用いて部分的に接着してもよい。
【００２９】
図柄ベルト９の表面と図柄表示部材１００裏面との複数箇所を接着材などを用いて部分的に接着することにより、図柄ベルト９の表面と図柄表示部材１００裏面との間に、例えば図柄表示部材１００の厚み程度の空間を設けることが可能になる。その結果、図柄ベルト９と図柄表示部材１００との間に多少の公差があってもこの空間により吸収することができる。なお、前記図柄ベルト９の表面と図柄表示部材１００裏面との間に空間が生じることにより、回転図柄表示体３が回転した時に図柄表示部材１００が浮きあがる場合がある。かかる浮きあがりを押さえるために、浮きあがり防止部材１０１が備えられている。
【００３０】
以下、図４、図５により前記浮きあがり防止部材１０１を説明する。浮きあがり防止部材１０１は、端部１０１ａとベルト支持部１０１ｂとを備える。ベルト支持部１０１ｂは、前記図柄ベルト支持体４０と略同じ曲率となるように形成されている。端部１０１ａは、前記ベルト支持部１０１ｂの略中央部に立設して形成され、回転図柄表示体３の間に設けられている図示していない嵌入溝に端部から嵌入されて固定されている。固定された浮きあがり防止部材１０１のベルト支持部１０１ｂの裏側は、図柄表示部材１００の表面と僅かな摩擦を持つように接してベルトの浮きあがりを押さえるいる。
【００３１】
前記浮きあがり防止部材１０１は、図４（ｂ）、（ｃ）、（ｄ）に示すように、回転図柄表示体３の間に設けられる位置により異なる形状を有していてもよい。即ち、回転図柄表示体３が両側にある場合には、断面形状がＴ字状の図４（ｂ）に示す浮きあがり防止部材１０１を使用し、２個の回転図柄表示体３に使用されているベルトの一方の端の浮きあがりを防止する。また、回転図柄表示体３が一方の端にある場合には、断面形状がＬ字状の図４（ｃ）または図４（ｄ）に示す浮きあがり防止部材１０１を使用し、１個の回転図柄表示体３に使用されているベルトの一方の端の浮きあがりを防止する。なお、図４（ｃ）または図４（ｄ）の浮きあがり防止部材１０１に代わり、全てに図４（ｂ）の浮きあがり防止部材１０１を用いてもよい。
【図面の簡単な説明】
【００３２】
【図１】本発明の実施形態における図柄可変表示装置を用いたスロットマシンを示す斜視図である。
【図２】本発明の実施形態における駆動円形リング体と無端ベルトとの関係を説明する図である。
【図３】本発明の実施形態における図柄ベルトと図柄表示部材を説明する図である。
【図４】本発明の実施形態における浮きあがり防止部材の側面図（ａ）とＢ−Ｂ断面図（ｂ）、（ｃ）、（ｄ）である。
【図５】本発明の実施形態における浮きあがり防止部材の取り付けの説明図である。
【図６】従来の実施形態における図柄可変表示装置を示す縦断面図である。
【符号の説明】
【００３３】
１  回転式図柄可変表示装置
２  装置本体
３  回転図柄表示体
４  駆動プーリ
７  係合部
８  従動プーリ
９  図柄ベルト
９ａ  図柄
９ｂ  被係合部
１００  図柄表示部材
１０１  浮きあがり防止部材
【図１】
2005168840.tif 000003
【図２】
2005168840.tif 000004
【図３】
2005168840.tif 000005
【図４】
2005168840.tif 000006
【図５】
2005168840.tif 000007
【図６】
2005168840.tif 000008